(57)【要約】【課題】ユーザーのニーズに沿った画像を形成することができる画像形成装置を提供する。【解決手段】複合機１１に備えられる制御部１２は、印刷要求受け付け部３１と、識別マーク生成部３２と、印刷制御部３３と、データ格納制御部３４と、判断部３５と、データ読み出し部３６と、捺印領域画像抽出部３７と、データ生成部３８とを備える。識別マーク生成部３２は、印刷要求受け付け部３１により印刷の要求を受け付ければ、捺印用用紙に表示される識別マークを生成する。判断部３５は、画像読み取り部１４により読み取られた画像の中に識別マークがあるか否かを判断する。データ生成部３８は、データ読み出し部３６により読み出された捺印用用紙の電子ファイルのデータに、捺印領域画像抽出部３７により抽出された捺印領域の画像データを合成して捺印用用紙の電子ファイルのデータを生成する。【選択図】図３
2017076905.tif 000002
【特許請求の範囲】
【請求項１】
捺印モードとして、単語検索が可能な電子ファイルで作成され、捺印領域が設けられた捺印用用紙のデータに基づいた印刷の要求を受け付ける印刷要求受け付け部と、
データを格納する格納部と、
前記印刷要求受け付け部により前記印刷の要求を受け付ければ、前記捺印用用紙に表示される識別マークを生成する識別マーク生成部と、
前記識別マーク生成部により生成された前記識別マークを前記捺印用用紙に付して画像を形成して印刷するよう制御する印刷制御部と、
前記印刷要求受け付け部により前記印刷の要求を受け付ければ、前記捺印用用紙の電子ファイルのデータを前記格納部に格納するよう制御するデータ格納制御部と、
印刷された前記捺印用用紙の画像を読み取る画像読み取り部と、
前記画像読み取り部により読み取られた画像の中に前記識別マークがあるか否かを判断する判断部と、
前記判断部により、読み取られた前記画像データの中に前記識別マークがあると判断されれば、前記データ格納制御部によって前記格納部に格納された前記前記捺印用用紙の電子ファイルのデータを読み出すデータ読み出し部と、
前記判断部により、読み取られた前記画像データの中に前記識別マークがあると判断されれば、読み取られた前記画像の中から前記捺印領域の画像を抽出する捺印領域画像抽出部と、
前記データ読み出し部により読み出された前記捺印用用紙の電子ファイルのデータに、前記捺印領域画像抽出部により抽出された前記捺印領域の画像データを合成して捺印用用紙の電子ファイルのデータを生成するデータ生成部とを備える、画像形成装置。
【請求項２】
前記格納部には、定型フォームの前記捺印用用紙の電子ファイルのデータを予め格納されており、
前記データ読み出し部は、予め格納された定型フォームの前記捺印用用紙の電子ファイルのデータを読み出す、請求項１に記載の画像形成装置。
【請求項３】
前記識別マークは、バーコードを含む、請求項１または２に記載の画像形成装置。
【請求項４】
前記データ生成部は、前記識別マークを消去して、前記捺印用用紙のデータを生成する、請求項１〜３のいずれか１項に記載の画像形成装置。
【請求項５】
前記識別マークは、前記捺印領域の近傍に付されている、請求項１〜４のいずれか１項に記載の画像形成装置。
【請求項６】
前記捺印領域画像抽出部は、枠線に囲まれた領域を抽出する、請求項１〜５のいずれか１項に記載の画像形成装置。
【発明の詳細な説明】
【技術分野】
【０００１】
この発明は、画像形成装置に関するものである。
【背景技術】
【０００２】
複合機等に代表される画像形成装置においては、画像読み取り部で原稿の画像を読み取った後、画像形成部に備えられる感光体に対して読み取った画像を基に光を照射し、感光体上に静電潜像を形成する。その後、形成した静電潜像の上に帯電したトナー等の現像剤を供給して可視画像とした後、用紙に転写して定着させ、装置外に排出する。
【０００３】
ここで、画像形成装置において、画像を読み取る際の画像の認識に関する技術が、特開平１１−２０３４７２号公報（特許文献１）に開示されている。
【先行技術文献】
【特許文献】
【０００４】
【特許文献１】特開平１１−２０３４７２号公報
【発明の概要】
【発明が解決しようとする課題】
【０００５】
画像形成装置において印刷される用紙として、複数のユーザーに回覧させ、承認したユーザーの所有する印鑑により捺印させることを前提とした捺印用用紙の印刷を行う場合がある。印刷された捺印用用紙に対して、各ユーザーは、自らの印鑑を用いて所定の捺印欄に捺印して、回覧していく。複数のユーザーの捺印が終了した捺印用用紙については、データ管理の観点から、画像形成装置における画像読み取り部でその全体が読み取られ、例えば、ＰＤＦ（Ｐｏｒｔａｂｌｅ  Ｄｏｃｕｍｅｎｔ  Ｆｏｒｍａｔ）ファイルといった形式の電子ファイルとしてデータベースに保存される。
【０００６】
ここで、捺印がなされた捺印用用紙については、捺印用用紙に記載された文字や記号等の全ての表示された部分が、画像データとして画像読み取り部により読み取られることとなる。そうすると、読み取られた捺印用用紙の画像データを用いて、電子ファイルとしての文書ファイルでは利用可能な単語検索を行うことができないこととなる。すなわち、捺印用用紙を読み取った画像データに対して、文字の検索や文字の置換等の要求に十分に対応することができない。このような要求に対し、特許文献１に開示の技術では、対応することができない。
【０００７】
この発明の目的は、ユーザーのニーズに沿った画像を形成することができる画像形成装置を提供することである。
【課題を解決するための手段】
【０００８】
この発明の一の局面においては、画像形成装置は、印刷要求受け付け部と、格納部と、識別マーク生成部と、印刷制御部と、データ格納制御部と、判断部と、データ読み出し部と、捺印領域画像抽出部と、データ生成部とを備える。印刷要求受け付け部は、捺印モードとして、単語検索が可能な電子ファイルで作成され、捺印領域が設けられた捺印用用紙のデータに基づいた印刷の要求を受け付ける。格納部は、データを格納する。識別マーク生成部は、印刷要求受け付け部により印刷の要求を受け付ければ、捺印用用紙に表示される識別マークを生成する。印刷制御部は、識別マーク生成部により生成された識別マークを捺印用用紙に付して画像を形成して印刷するよう制御する。データ格納制御部は、印刷要求受け付け部により印刷の要求を受け付ければ、捺印用用紙の電子ファイルのデータを格納部に格納するよう制御する。画像読み取り部は、印刷された捺印用用紙の画像を読み取る。判断部は、画像読み取り部により読み取られた画像の中に識別マークがあるか否かを判断する。データ読み出し部は、判断部により、読み取られた画像データの中に識別マークがあると判断されれば、データ格納制御部によって格納部に格納された捺印用用紙の電子ファイルのデータを読み出す。捺印領域画像抽出部は、判断部により、読み取られた画像データの中に識別マークがあると判断されれば、読み取られた画像の中から捺印領域の画像を抽出する。データ生成部は、データ読み出し部により読み出された捺印用用紙の電子ファイルのデータに、捺印領域画像抽出部により抽出された捺印領域の画像データを合成して捺印用用紙の電子ファイルのデータを生成する。
【発明の効果】
【０００９】
このような画像形成装置によると、捺印モードとして印刷された捺印用用紙には、生成された識別用のマークが付されている。捺印用用紙の画像が読み取られた際に識別マークがあると判断されれば、捺印領域の画像を抽出し、その他の部分を格納部に格納されたデータから読み出して、データを合成して捺印用用紙の電子ファイルのデータを生成する。そうすると、捺印領域以外の領域については、格納部に格納されたデータから読み出されて生成されているため、単語検索を行うことができる。この場合、捺印領域には所定の捺印がなされた画像がデータとして合成されているため、この電子ファイルのデータを印刷した際に、捺印領域において捺印が表示される。したがって、ユーザーのニーズに沿った画像を形成することができる。
【図面の簡単な説明】
【００１０】
【図１】この発明の一実施形態に係る画像形成装置を複合機に適用した場合の複合機の外観を示す概略図である。
【図２】図１に示す複合機の構成を示すブロック図である。
【図３】制御部の構成を示すブロック図である。
【図４】この発明の一実施形態に係る複合機を用いて、捺印用用紙を印刷する場合の処理の内容を示すフローチャートである。
【図５】印刷された捺印用用紙の一例を示す図である。
【図６】捺印欄に捺印された捺印用用紙の一例を示す図である。
【図７】この発明の一実施形態に係る複合機を用いて、捺印用用紙の電子ファイルのデータを生成する場合の処理の内容を示すフローチャートである。
【図８】データが合成された捺印用用紙の一例を示す図である。
【発明を実施するための形態】
【００１１】
以下、この発明の実施の形態を説明する。図１は、この発明の一実施形態に係る画像形成装置を複合機に適用した場合の複合機の外観を示す概略図である。図２は、図１に示す複合機の構成を示すブロック図である。
【００１２】
図１および図２を参照して、複合機１１は、制御部１２と、操作部１３と、画像読み取り部１４と、画像形成部１５と、用紙セット部１９と、排出トレイ３０と、データを格納する格納部としてのハードディスク１６と、ファクシミリ通信部１７と、ネットワーク２５と接続するためのネットワークインターフェース部１８とを備える。
【００１３】
制御部１２は、複合機１１全体の制御を行う。操作部１３は、複合機１１側から発信する情報やユーザーの入力内容を表示する表示画面２１を含む。操作部１３は、印刷部数や階調性等の画像形成の条件や電源のオンまたはオフをユーザーに入力させる。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り部１４は、ＡＤＦ２２または不図示の載置台上にセットされた原稿の画像を読み取る。なお、画像読み取り部１４は、後述する印刷された捺印用用紙の画像も読み取る。用紙セット部１９は、手差しで用紙をセットする手差しトレイ２８やサイズの異なる複数枚の用紙を収納可能な給紙カセット群２９を含む。用紙セット部１９は、画像形成部１５に供給する用紙をセットさせる。画像形成部１５は、画像読み取り部１４により読み取られた画像やネットワーク２５を介して送信された画像データを基に、搬送されてきた用紙に画像を形成する。画像形成部１５により画像を形成された用紙は、排出トレイ３０に排出される。ハードディスク１６は、送信された画像データや入力された画像形成条件等の格納を行う。ファクシミリ通信部１７は、公衆回線２４に接続されており、ファクシミリ送信やファクシミリ受信を行う。
【００１４】
なお、複合機１１は、画像データの書き出しや読み出しを行うＤＲＡＭ（Ｄｙｎａｍｉｃ  Ｒａｎｄｏｍ  Ａｃｃｅｓｓ  Ｍｅｍｏｒｙ）等を備えるが、これらについては、図示および説明を省略する。また、図２中の矢印は、制御信号や制御、画像に関するデータの流れを示している。なお、図１に示すように、この実施形態においては、給紙カセット群２９は、３つの給紙カセット２３ａ、２３ｂ、２３ｃから構成されている。
【００１５】
複合機１１は、画像読み取り部１４により読み取られた原稿の画像データを用いて画像形成部１５において画像を形成することにより、複写機として作動する。また、複合機１１は、ネットワークインターフェース部１８を通じて、ネットワーク２５に接続されたコンピューター２６ａ、２６ｂ、２６ｃから送信された画像データを用いて、画像形成部１５において画像を形成して用紙に印刷することにより、プリンターとして作動する。すなわち、画像形成部１５は、要求された画像を印刷する印刷部として作動する。複合機１１は、ファクシミリ通信部１７を通じて、公衆回線２４から送信された画像データを用いて、ＤＲＡＭを介して画像形成部１５において画像を形成することにより、また、画像読み取り部１４により読み取られた原稿の画像データを、ファクシミリ通信部１７を通じて公衆回線２４に画像データを送信することにより、ファクシミリ装置として作動する。複合機１１は、画像処理に関し、複写機能、プリンター機能、ファクシミリ機能等、複数の機能を有する。さらに、各機能に対しても、詳細に設定可能な機能を有する。
【００１６】
この発明の一実施形態に係る複合機１１を含む画像形成システム２７は、上記した構成の複合機１１と、ネットワーク２５を介して複合機１１に接続される複数のコンピューター２６ａ、２６ｂ、２６ｃとを備える。この実施形態においては、複数のコンピューター２６ａ〜２６ｃについては、３台示している。各コンピューター２６ａ〜２６ｃはそれぞれ、複合機１１に対して、ネットワーク２５を介して印刷要求を行って印刷をすることができる。
【００１７】
次に、制御部１２の構成について説明する。図３は、制御部１２の構成を示すブロック図である。図３を参照して、制御部１２は、印刷要求受け付け部３１と、識別マーク生成部３２と、印刷制御部３３と、データ格納制御部３４と、判断部３５と、データ読み出し部３６と、捺印領域画像抽出部３７と、データ生成部３８とを備える。印刷要求受け付け部３１は、単語検索が可能な電子ファイルで作成され、捺印領域が設けられた捺印用用紙のデータに基づいた印刷の要求を受け付ける。識別マーク生成部３２は、印刷要求受け付け部３１により印刷の要求を受け付ければ、捺印用用紙に表示される識別マークを生成する。印刷制御部３３は、識別マーク生成部３２により生成された識別マークを捺印用用紙に付して画像を形成して印刷するよう制御する。データ格納制御部３４は、印刷要求受け付け部３１により印刷の要求を受け付ければ、捺印用用紙の電子ファイルのデータをハードディスク１６に格納するよう制御する。判断部３５は、画像読み取り部１４により読み取られた画像の中に識別マークがあるか否かを判断する。データ読み出し部３６は、判断部３５により、読み取られた画像データの中に識別マークがあると判断されれば、データ格納制御部３４によってハードディスク１６に格納された捺印用用紙の電子ファイルのデータを読み出す。捺印領域画像抽出部３７は、判断部３５により、読み取られた画像データの中に識別マークがあると判断されれば、読み取られた画像の中から捺印領域の画像を抽出する。データ生成部３８は、データ読み出し部３６により読み出された捺印用用紙の電子ファイルのデータに、捺印領域画像抽出部３７により抽出された捺印領域の画像データを合成して捺印用用紙の電子ファイルのデータを生成する。
【００１８】
次に、この発明の一実施形態に係る複合機１１により、文字や記号の検索が可能であり、捺印欄に捺印がなされた用紙を得る場合について説明する。まず、捺印用用紙を印刷する場合について説明する。図４は、この発明の一実施形態に係る複合機１１を用いて、捺印用用紙を出力する場合の処理の内容を示すフローチャートである。
【００１９】
図４を参照して、まず、ユーザーは、複合機１１に対して、捺印用用紙の印刷の要求を行う。この場合、いわゆる捺印モードとして設定して、印刷の要求を行う。具体的には、ユーザーは、例えば、コンピューター２６ａを利用して、捺印モードを設定し、単語検索が可能な電子ファイルで作成され、捺印領域が設けられた捺印用用紙のデータに基づいた印刷の要求を行う。そうすると、印刷要求受け付け部３１は、捺印用用紙の印刷の要求を受け付ける（図４において、ステップＳ１１、以下、「ステップ」を省略する）。
【００２０】
捺印用用紙の印刷の要求を受け付けると（Ｓ１１において、ＹＥＳ）、識別マーク生成部３２は、捺印用の用紙の画像の形成に際し、識別マークとしてのバーコードを生成する（Ｓ１２）。この場合、所定の大きさで、この印刷の要求に対応するバーコードを生成する。
【００２１】
そして、印刷制御部３３は、生成されたバーコードの画像データを捺印用用紙の画像データに付すようにして、画像を形成する（Ｓ１３）。すなわち、バーコード付きの画像を形成する。そして、印刷制御部３３は、形成されたバーコード付きの画像を印刷する（Ｓ１４）。
【００２２】
また、この時、データ格納制御部３４は、印刷の要求がなされた捺印用用紙の電子ファイルのデータを、ハードディスク１６に格納する（Ｓ１５）。この電子ファイルについては、文字や記号等の単語検索が可能な電子ファイルである。
【００２３】
図５は、印刷された捺印用用紙の一例を示す図である。図５を参照して、捺印用用紙４１は、「回路図」と記され、印刷物が回路図に係るものであることを認識させる表示４２と、回路図中において、文字や記号による文章が数行に亘って記載されている文字部４３と、それぞれ枠線で区切られ、三人のユーザーのそれぞれ所有する三つの印鑑で捺印される三つの捺印欄４４ａ、４４ｂ、４４ｃと、生成されたバーコード４５とを含む。なお、文字部４３が記載されている文字領域４６については、図５中の一点鎖線で示し、三つの捺印欄４４ａ〜４４ｃが配置されている捺印領域４７については、図５中の二点鎖線で示している。捺印領域４７については、枠線４９で囲まれた領域である。なお、バーコード４５については、理解の容易の観点から、図５においてハッチングで示している。
【００２４】
文字領域４６は、「回路図」の表示４２がなされた上側領域を除き、捺印用用紙４１のほとんどの部分を占めている。捺印領域４７は、図５に示す場合において、捺印用用紙４１の右下の隅の部分に設けられている。バーコード４５は、捺印領域４７の近傍に設けられている。具体的には、バーコード４５は、捺印領域４７の上側部分に捺印領域４７と接するようにして設けられている。バーコード４５については、印刷の要求に応じて生成されたものであり、捺印用用紙４１の電子ファイルとしてのデータには存在しないものである。
【００２５】
このようにして印刷された捺印用用紙４１は、複数のユーザーの間で捺印のために回覧される。三つの捺印欄４４ａ〜４４ｃの全てに捺印がなされた捺印用用紙４１を、図６に示す。図６においては、最も左側の捺印欄４４ａには、ユーザー「ＸＸＸ」による捺印４８ａがなされている。中央の捺印欄４４ｂには、ユーザー「ＹＹＹ」による捺印４８ｂがなされている。最も右側の捺印欄４４ｃには、ユーザー「ＺＺＺ」による捺印４８ｃがなされている。なお、捺印４８ａ〜４８ｃに用いられる印鑑には、日付印等の種々のものが用いられる。
【００２６】
次に、このように捺印４８ａ〜４８ｃがなされた捺印用用紙４１を用いて、捺印用用紙の電子ファイルのデータを生成する場合について説明する。図７は、この発明の一実施形態に係る複合機１１を用いて、捺印用用紙４１の電子ファイルのデータを生成する場合の処理の内容を示すフローチャートである。
【００２７】
図７を参照して、まず、複合機１１に備えられる画像読み取り部１４により、捺印用用紙４１の画像を読み取る（Ｓ２１）。そして、読み取られた画像データにおいて、判断部３５は、所定の箇所にバーコード４５があるか否かを判断する（Ｓ２２）。
【００２８】
判断部３５により、読み取られた画像の所定の箇所にバーコード４５があると判断されれば（Ｓ２２において、ＹＥＳ）、データ読み出し部３６は、ハードディスク１６に格納された捺印用用紙４１の電子ファイルのデータを読み出す（Ｓ２３）。また、捺印領域画像抽出部３７は、画像読み取り部１４により読み取られた画像データから、捺印領域４７の画像データを抽出する（Ｓ２４）。すなわち、読み取られた画像データから、三つの捺印４８ａ〜４８ｃがある枠線４９で囲まれた捺印領域４７に該当する部分の画像データを切り取る。そして、データ生成部３８は、読み出した電子ファイルの文字領域４６の部分と抽出された捺印領域４７の部分とを合成して、データを生成する（Ｓ２５）。このようにして、電子ファイルのデータが生成される。生成されたデータについては、例えば、ネットワーク２５を介して複合機１１と接続され、データベースとして機能するコンピューター２６ｃの有する格納領域に格納される。
【００２９】
ここで、生成された電子ファイルのデータを印刷した場合には、例えば、図８に示される捺印用用紙が出力される。図８は、データが合成された捺印用用紙の一例を示す図である。
【００３０】
図８を参照して、生成されたデータを基に印刷された捺印用用紙５１は、「回路図」と記され、印刷物が回路図に係るものであることを認識させる表示５２と、回路図中において、文字による文章が数行に亘って記載されている文字部５３と、それぞれ枠線５６で区切られ、三人のユーザーのそれぞれ所有する三つの印鑑で捺印される三つの捺印欄５４ａ、５４ｂ、５４ｃとを含む。三つの捺印欄５４ａ〜５４ｃ内には、それぞれ捺印５５ａ、５５ｂ、５５ｃがなされている。図５と比較すると、捺印欄５４ａ〜５４ｃの上側領域には、バーコードは付されていない。
【００３１】
なお、Ｓ２２において、判断部３５により、読み取られた画像にバーコード４５がないと判断されれば（Ｓ２２において、ＮＯ）、画像読み取り部１４により捺印用用紙４１と異なる用紙を読み取られたと判断され、読み取られた画像データから画像データを生成して処理を終了する（Ｓ２６）。
【００３２】
このような複合機１１によると、捺印モードとして印刷された捺印用用紙４１には、生成されたバーコード４５が付されており、捺印用用紙４１の画像が読み取られた際にバーコード４５があると判断されれば、捺印領域４７の画像を抽出し、その他の部分をハードディスク１６に格納されたデータから読み出して、データを合成して電子ファイルのデータを生成する。そうすると、捺印領域４７以外の領域については、ハードディスク１６に格納されたデータから読み出されて生成されているため、単語検索を行うことができる。この場合、捺印欄４４ａ〜４４ｃには所定の捺印４８ａ〜４８ｃがなされた画像がデータとして合成されているため、この電子ファイルのデータを印刷した際に、捺印欄５４ａ〜５４ｃにおいて捺印５５ａ〜５５ｃが表示される。したがって、ユーザーのニーズに沿った画像を形成することができる。
【００３３】
また、この場合、識別マークとしてバーコード４５を採用しているため、視覚的に認識しやすく、捺印モードとして印刷され、画像を読み取られて用いられる捺印用用紙４１であることをユーザーは容易に認識することができる。
【００３４】
なお、上記の実施の形態において、識別マークとしてバーコード４５を採用することとしたが、これに限らず、識別マークとして、他のマーク、例えば、ＱＲコード（登録商標）を用いることとしてもよいし、ユーザーの目に見えない電子透かしやウォーターマーク等を用いてもよい。この場合、捺印領域の近傍に限らず、例えば、余白部分に識別マークを設けることとしてもよい。
【００３５】
また、上記の実施の形態においては、識別マークはデータ生成部３８によって合成されないこととしたが、これに限らず、識別マークを合成してデータを生成してもよい。すなわち、識別マークを残しておいたまま、データ生成部３８により合成を行うこととしてもよい。
【００３６】
なお、上記の実施の形態において、ハードディスク１６には、定型フォームの捺印用用紙の電子ファイルのデータを予め格納されている構成とし、データ読み出し部３６は、予め格納された定型フォームの捺印用用紙の電子ファイルのデータを読み出すよう構成してもよい。こうすることにより、定型フォームの捺印用用紙を用いる場合、バーコードの位置や大きさ等を定めた位置とすることができる。また、捺印領域４７も予め認識させることができる。
【００３７】
また、上記の実施の形態においては、枠線４９に囲まれた領域を捺印欄４４ａ〜４４ｃが設けられ捺印領域４７と認識することとしたが、これに限らず、例えば、捺印用用紙４１の右隅の領域、具体的には、捺印用用紙４１の下端から数ｍｍ〜数十ｍｍ、捺印用用紙４１の右端から数ｍｍ〜数十ｍｍの範囲を捺印領域４７として認識するようにしてもよい。
【００３８】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００３９】
この発明に係る画像形成装置は、ユーザーのニーズに沿った画像の形成が要求される場合に、特に有効に利用される。
【符号の説明】
【００４０】
１１  複合機、１２  制御部、１３  操作部、１４  画像読み取り部、１５  画像形成部、１６  ハードディスク、１７  ファクシミリ通信部、１８  ネットワークインターフェース部、１９  用紙セット部、２１  表示画面、２２  ＡＤＦ、２３ａ，２３ｂ，２３ｃ  給紙カセット、２４  公衆回線、２５  ネットワーク、２６ａ，２６ｂ，２６ｃ  コンピューター、２７  画像形成システム、２８  手差しトレイ、２９  給紙カセット群、３０  排出トレイ、３１  印刷要求受け付け部、３２  識別マーク生成部、３３  印刷制御部、３４  データ格納制御部、３５  判断部、３６  データ読み出し部、３７  捺印領域画像抽出部、３８  データ生成部、４１，５１  捺印用用紙、４２，５２  表示、４３，５３  文字部、４４ａ，４４ｂ，４４ｃ，５４ａ，５４ｂ，５４ｃ  捺印欄、４５  バーコード、４６  文字領域、４７  捺印領域、４８ａ，４８ｂ，４８ｃ，５５ａ，５５ｂ，５５ｃ  捺印、４９，５６  枠線。
【図１】
2017076905.tif 000003
【図２】
2017076905.tif 000004
【図３】
2017076905.tif 000005
【図４】
2017076905.tif 000006
【図５】
2017076905.tif 000007
【図６】
2017076905.tif 000008
【図７】
2017076905.tif 000009
【図８】
2017076905.tif 000010